(57)【特許請求の範囲】
【請求項１】
下面を開放した照明装置の上面カバーと、複数の発光素子を基板上に実装した一つもしくは複数の光源部と、該光源部および前記発光素子を点灯するための点灯装置を覆う透光カバーを備え後側部に柱状構造物へ固定金具にて取り付けられる照明装置であり、
前記光源部は、複数の前記発光素子を絶縁基板上に実装した光源エレメントと、該光源エレメント上でスライドして前記発光素子の発光光の出射方向を制御する光制御エレメントを備え、
前記光制御エレメントには、前記発光素子の発光光を光制御部材へ導く第1の透過孔と、前記発光光を直接出射する第2の透過孔とが形成され、
前記光制御エレメントの前記スライドにて、前記発光素子の光軸上に前記第1の透過孔が位置する状態にて前記光制御部材の作用により前記照明装置の横方向へ長く拡散する配光パターンとなり、前記発光素子の光軸上に前記第2の透過孔が位置する状態にて略円形または略台形の配光パターンとなる、
ことを特徴とする照明装置。
【請求項２】
下面を開放した照明装置の上面カバーと、複数の発光素子を基板上に実装した一つもしくは複数の光源部と、該光源部および前記発光素子を点灯するための点灯装置を覆う透光カバーを備え後側部に柱状構造物へ固定金具にて取り付けられる照明装置であり、
前記光源部は、複数の前記発光素子が絶縁基板上に実装された光源エレメントと、前記光源エレメント上でスライドして前記発光素子の発光光の出射方向を制御する光制御エレメントを備え、
前記光源エレメントは、複数の前記発光素子が前記絶縁基板上に複数列状に実装された構成であり、
前記光制御エレメントは、基板に前記発光素子の夫々に対応するレンズ状の光制御部材と、前記光制御部材が存在せず前記発光素子の夫々に対応する透過孔を備え、前記発光素子の夫々の光軸上に前記光制御部材の夫々が位置する状態と、前記発光素子の夫々の光軸上に前記透過孔の夫々が位置する状態とに、前記光源エレメント上でスライドする構成であり、
前記発光素子の光軸上に前記光制御部材が位置する状態にて前記光制御部材の作用により前記照明装置の横方向へ長く拡散する配光パターンとなり、前記発光素子の光軸上に前記透過孔が位置する状態にて略円形または略台形の配光パターンとなる、
ことを特徴とする照明装置。
【請求項３】
前記光源エレメントに係止凸部を形成する一方、前記光制御エレメントに係止凹部を形成し、前記係止凸部と係止凹部の係合により光制御エレメントの透過孔のスライド位置が前記発光素子の光軸上に規制されるようにしたことを特徴とする請求項１または２に記載の照明装置。
【請求項４】
前記光制御エレメントの裏面に、前記第1の透過孔と前記第2の透過孔の相互間および前記光源部の外部へ通じる通気溝が形成されたことを特徴とする請求項１に記載の照明装置。
【発明の詳細な説明】
【技術分野】
【０００１】
本発明は、主に生活道路や街路などに設置される防犯灯、道路灯および街路灯などに好適な照明装置に関する。
【背景技術】
【０００２】
低消費電力の発光素子（ＬＥＤ）を光源にした照明装置は、一般家庭はもとより商業施設などでも多く設置され、屋外に設置する街路灯などの照明装置への採用も進んでいる。この照明装置は、本体の内部に発光素子を複数配列し、下方に向けて照明光を照射するようにしたものである。
【０００３】
このような照明装置の設置には、例えば街路の既設の電柱を利用したり、あるいは専用の支柱を立設するようにしている。このような電柱、支柱を利用する場合は、通常、電柱、支柱に固定して延設された支管の先端に照明装置を固定するようにしている（例えば、特許文献１参照）。
【０００４】
上記特許文献１に開示されたような屋外に設置される照明装置は、照明光の出射面を水平下向きと、照明装置本体の中央直下から幅方向で鉛直角が約８５°以上の領域に出射される照明光は歩行者にまぶしさ感（グレア）を与えたり、周辺住民などへの光害を生じる問題がある。
【０００５】
また、生活道路に設置される照明装置においては、道路を効率的に照明するため、道路軸方向に略長円形の配光パターンで路面の広範囲を照明できるようにするとともに、夜間の歩行者の視認性を確保する観点から道路幅員中心線の路面上方１５０cmの位置で、道路軸の垂直な面の鉛直面照度において所定の明るさ（日本防犯設備境界の防犯灯の照度基準クラスＢで０．５ルックス以上）が求められていることから、クラスＢ０．５ルックスの範囲が最大となる照明装置の設置間隔が望まれることになる。
【０００６】
このような条件を配慮して、道路の幅方向と道路の進行方向との２方向の配光を別々に制御して光を照射したい領域の効果的な照明が可能となるようにするため、配光制御するものが提案されている（例えば、特許文献２参照）。
【先行技術文献】
【特許文献】
【０００７】
【特許文献１】特開２０１４−１３２５９３号公報
【特許文献２】特開２０１２−１３８２０８号公報
【発明の概要】
【発明が解決しようとする課題】
【０００８】
ところで、このような屋外に設置する照明装置は、生活道路あるいは交差点、公園などのように異なる設置場所に応じて配光パターンが制御されたものとしなければならない。即ち、生活道路や街路を照明の対象とする場合は、道路軸方向を効率的に照射するため、略長円形の配光パターンとしなければならない。一方、交差点や公園などを照明の対象とする場合は、略円形もしくは略台形の配光パターンとしなければならない。
【０００９】
しかしながら、特許文献２に開示された照明装置は、光学レンズと光源の相対位置を調整するための調整機構を備えた技術に関するものであり、光学レンズへの入射位置を軸方向に微調整する機構であることから、当該光学レンズの範囲内の限定的な配光制御となることから、道路軸方向を効率的に照明する略長円形の配光と、交差点や公園などを効率的に照明する略円形もしくは略台形の配光との相互の変更が可能となるものではない。
【００１０】
本発明は、かかる従来の問題を解決するためになされたもので、簡単な操作により、略長円形の配光と、略円形もしくは略台形の配光パターンの何れも得られるようにしたもので、融通性の高い配光制御が可能となる照明装置を提供することを目的とするものである。
【課題を解決するための手段】
【００１１】
そこで本発明は、以下に述べる各手段により上記課題を解決するようにした。即ち、請求項１に記載の発明では、下面を開放した照明装置の上面カバーと、複数の発光素子を基板上に実装した一つもしくは複数の光源部と、該光源部および前記発光素子を点灯するための点灯装置を覆う透光カバーを備え後側部に柱状構造物へ固定金具にて取り付けられる照明装置であり、
前記光源部は、複数の前記発光素子を絶縁基板上に実装した光源エレメントと、該光源エレメント上でスライドして前記発光素子の発光光の出射方向を制御する光制御エレメントを備え、
前記光制御エレメントには、前記発光素子の発光光を光制御部材へ導く第1の透過孔と、前記発光光を直接出射する第2の透過孔とが形成され、
前記光制御エレメントの前記スライドにて、前記発光素子の光軸上に前記第1の透過孔が位置する状態にて前記光制御部材の作用により前記照明装置の横方向へ長く拡散する配光パターンとなり、前記発光素子の光軸上に前記第2の透過孔が位置する状態にて略円形または略台形の配光パターンとなる、
ことを特徴とする照明装置。
【００１２】
請求項２に記載の発明では、下面を開放した照明装置の上面カバーと、複数の発光素子を基板上に実装した一つもしくは複数の光源部と、該光源部および前記発光素子を点灯するための点灯装置を覆う透光カバーを備え後側部に柱状構造物へ固定金具にて取り付けられる照明装置であり、
前記光源部は、複数の前記発光素子が絶縁基板上に実装された光源エレメントと、前記光源エレメント上でスライドして前記発光素子の発光光の出射方向を制御する光制御エレメントを備え、
前記光源エレメントは、複数の前記発光素子が前記絶縁基板上に複数列状に実装された構成であり、
前記光制御エレメントは、基板に前記発光素子の夫々に対応するレンズ状の光制御部材と、前記光制御部材が存在せず前記発光素子の夫々に対応する透過孔を備え、前記発光素子の夫々の光軸上に前記光制御部材の夫々が位置する状態と、前記発光素子の夫々の光軸上に前記透過孔の夫々が位置する状態とに、前記光源エレメント上でスライドする構成であり、
前記発光素子の光軸上に前記光制御部材が位置する状態にて前記光制御部材の作用により前記照明装置の横方向へ長く拡散する配光パターンとなり、前記発光素子の光軸上に前記透過孔が位置する状態にて略円形または略台形の配光パターンとなる、ことを特徴とする。
【００１３】
請求項３に記載の発明では、上記請求項１または２に記載の照明装置において、前記光源エレメントに係止凸部を形成する一方、前記光制御エレメントに係止凹部を形成し、前記係止凸部と係止凹部の係合により光制御エレメントの一組の透過孔のスライド位置が前記発光素子の光軸上に規制されるようにした。
【００１４】
請求項４に記載の発明では、上記請求項１に記載の照明装置において、前記光制御エレメントの裏面に、前記第1の透過孔と前記第2の透過孔の相互間および前記光源部の外部へ通じる通気溝が形成された構成。
【発明の効果】
【００１５】
本発明によれば、光制御エレメントの発光素子の光軸に対応する位置に一組の透過孔を形成し、一方の透過孔上に透明素材により成形した光制御部材を配置し、前記発光素子の光軸上に前記一組の透過孔の何れもが位置するようにしたので、光制御エレメントのスライドのみで道路軸方向を効率的に照明する略長円形の配光と、交差点や公園などを効率的に照明する略円形もしくは略台形の配光との相互の変更が可能となる。
【００１６】
また、本発明によれば、光制御部材が１つまたは複数であるようにしたので、異なる種類の配光パターンを形成することができ、１台の照明装置で様々な照明環境に対応することができる。
【００１７】
また、本発明によれば、光源エレメントに係止凸部を形成する一方、前記光制御エレメントに係止凹部を形成し、前記係止凸部と係止凹部の係合により光制御エレメントの一組の透過孔のスライド位置が発光素子の光軸上に正確に規制され、高い精度の照明光を得ることができる。
【００１８】
また、本発明によれば、光制御エレメントの裏面に、一組の透過孔間および光源部の外部へ通じる通気溝を形成したので、発光素子からの発熱が光源部に滞留することなく、蓄熱による発光素子の発光効率の低下や劣化を防ぐことができ、初期性能を維持した長寿命の照明装置とすることができる。
【図面の簡単な説明】
【００１９】
【図１】本発明の照明装置の平面図である。
【図２】本発明の照明装置の側面図である。
【図３】本発明の照明装置の背面図である。
【図４】本発明の照明装置の内部構造を示す底面図である。
【図５】本発明の照明装置の断面図である。
【図６】本発明の照明装置の内部構造を説明する底面図
【図７】本発明の照明装置の分解斜視図である。
【図８】本発明の照明装置の分解斜視図である。
【図９】本発明の照明装置の支管の固定状態の説明図である。
【図１０】本発明の照明装置の支管の固定状態の説明図である。
【図１１】本発明の照明装置の支管の固定状態の説明図である。
【図１２】本発明の照明装置の設置状態を示す側面図である。
【図１３】本発明の照明装置の電源部の要部断面図である。
【図１４】本発明の照明装置の電源部の説明図である。
【図１５】本発明の照明装置の電源部の説明図である。
【図１６】本発明の照明装置の電源部の説明図である。
【図１７】本発明の照明装置の電源部の処理の流れの例の説明図である。
【図１８】本発明の照明装置の光源部の分解斜視図である。
【図１９】本発明の照明装置の光源部の光制御エレメントの説明図である。
【図２０】本発明の照明装置の光源部の機能説明図である。
【図２１】本発明の照明装置の光源部の機能説明図である。
【図２２】本発明の照明装置の光源部の機能説明図である。
【図２３】本発明の照明装置の配光パターンの説明図である。
【図２４】本発明の照明装置の配光パターンの説明図である。
【図２５】本発明の照明装置の光制御レメントの平面図である。
【図２６】本発明の照明装置の光源エレメントの平面図である。
【図２７】本発明の照明装置の光制御エレメントの要部の説明図である。
【図２８】本発明の照明装置の光源部の機能説明図である。
【図２９】本発明の照明装置の配光パターンの説明図である。
【発明を実施するための形態】
【００２０】
以下、本発明の実施の形態を図に基づいて詳細に説明する。図１は本発明の照明装置１の平面図、図２は側面図、図３は背面図、図４は内部構造を示す底面図であり、同各図に基づいて照明装置１の外観の構成を説明する。
【００２１】
本発明の照明装置１は、主体となる上面カバー２がアルミダイキャストなどの耐食性に優れた素材により一体成形されたもので、この上面カバー２の下面の開口部は透光カバー３がシールパッキン３Ａを介在させ、取付ボス２ｃにネジ孔３ａを介してネジ止めされる。また、上面カバー２の後側部は図１、図３、図６などに示すように傾斜状部２ａが形成され、この傾斜状部２ａの一方の傾斜端部２ａ−１に、傾斜状部２ａの開口形状に一致する蓋体４が蝶番４ａにより開閉可能に連結されている。この蓋体４の蝶番４ａを備えない他方の傾斜端部２ａ−１を取付ネジにより上面カバー２へ固定することにより、上面カバー２の後端面と蓋体４の前端面が図５に示すように連接するようにしている。この場合、蓋体４と透光カバー３の端部の対向部の外表面が面一となるようにしておき、照射面に一体感のある造形処理となるようにする。
【００２２】
前記上面カバー２には図５に示すように固定金具Ｂの支管Ｂ１を挿通する通孔２ｂが形成され、空室内部に複数の取付ボス２ｃおよび後述する光源部５のヒートシンク２ｄなどが図７に示すように一体に成形されている。前記ヒートシンク２ｄには光源部５を配設した熱伝導板６が固定され、各発光素子５ａ（図１８参照）から発生する発熱をヒートシンク２ｄへ導くようにしている。ヒートシンク２ｄは前記発熱を吸収し、上面カバー２から装置外部へ放散する。前記光源部５および熱伝導板６はホルダー７によりヒートシンク２ｄに固定される。また、光源部５の後部には電源部８が配置され、この電源部８から商用交流電源を電圧変換した直流の駆動電源がリード線９により光源部５に供給される。
【００２３】
前記電源部８へ商用交流電源を導くリード線９は上面カバー２の傾斜状部２ａの空室内に配置した端子台１０に接続され、商用交流電源用のケーブルは支管Ｂ１内を通じて外部へ引き出される。また、前記傾斜状部２ａの空間内には、通孔２ｂから封止リング１１を介在させて差し込まれた支管Ｂ１の端部を固定するための固定金具１２が配設されている。
【００２４】
前記固定金具１２は図７に示すように、端部が取付ボス２ｃに図１０、図１１に示すようにネジ止めされる第１の支持部材１２ａ、と端部が取付ボス２ｃに図９〜図１１に示すようにネジ止めされる第２の支持部材１２ｂとからなる。第１の支持部材１２ａの中央には支管Ｂ１の軸心方向に並行する曲部１２ａ−１が形成されており、一方、第２の支持部材１２ｂの中央には支管Ｂ１の軸心方向に並行する平坦段部１２ｂ−１が形成されており、この平坦段部１２ｂ−１には図５に示すように固定用の固定ネジ１２ｂ−２および位置決めネジ１２ｂ−３を備える。
【００２５】
固定金具１２はこのように構成されていることから、直径の異なる各種の支管Ｂ１の固定が可能となる。即ち、相対的に最も大径の支管Ｂ１を固定する場合は、図９に示すように支持部材１２ａを取り除き、取付ボス２ｃにネジ止めされた第２の支持部材１２ｂ上に支管Ｂ１の端部を差し込み、位置決めネジ１２ｂ−３により支管Ｂ１を定位置に位置決めした後、固定ネジ１２ｂ−２を緊締して支管Ｂ１を上面カバー２に一体成形された一対の凸条２ｅに押し付けて取付作業を完了する。
【００２６】
また、中径の支管Ｂ１を固定する場合は、図１０に示すように第１の支持部材１２ａを取付ボス２ｃにネジ止めするとともに、第２の支持部材１２ｂを取付ボス２ｃにネジ止めする。そして、支管Ｂ１の端部を第１、第２の支持部材１２ａ、１２ｂ間に差し込み、位置決めネジ１２ｂ−３により支管Ｂ１を定位置に位置決めした後、固定ネジ１２ｂ−２を緊締して支管Ｂ１を第１の支持部材１２ａに押し付けて取付作業を完了する。
【００２７】
さらに、小径の支管Ｂ１を固定する場合は、図１１に示すように第１の支持部材１２ａを取付ボス２ｃにネジ止めするとともに、第２の支持部材１２ｂを、その平坦段部１２ｂ−１の凸面が上方を向くようにして取付ボス２ｃにネジ止めする。そして、支管Ｂ１の端部を第１、第２の支持部材１２ａ、１２ｂ間に差し込み、位置決めネジ１２ｂ−３により支管Ｂ１を定位置に位置決めした後、固定ネジ１２ｂ−２を緊締して支管Ｂ１を第１の支持部材１２ａに押し付けて取付作業を完了する。
【００２８】
以上のように支管Ｂ１の取付作業を行っている間は、蓋体４は図６に示すように、支管Ｂ１などと干渉しない状態で拡開するので、傾斜状部２ａが完全に開放され、支管Ｂ１の取付作業および端子台１０への配線作業を容易に行うことができる。本発明の照明装置１はこのように構成されていることから、図１２に示すように柱状構造物Ｐへ固定金具Ｂにより取り付けた場合、上面カバー２に接続部分がないことから耐候性および水密性を向上することができる。また、蓋体４が装置本体の下面に位置するようになることから、雨水などの進入を確実に阻止することができる。
【００２９】
つぎに、電源部８の構成について詳細に説明する。電源部８は商用交流電源を降圧した直流電源に変換して光源部５へ供給する電源回路、前記直流電源で発光素子５ａを点灯する点灯回路、そして装置本体外の環境の明度を判断して発光素子５ａを点滅する点滅制御回路を備える。
【００３０】
前記電源部８は図７に示すように中空の筺状ケース８ａと、この筺状ケース８ａの開口面を覆うスライド板８ｂとが一体構成されたもので、筺状ケース８ａの内部に前記電源回路、点灯回路、点滅制御回路を実装した配線基板８ｃを収容している。前記スライド板８ｂの外周は筺状ケース８ａの外周から張り出したフランジ状となっており、このフランジ状部の四隅にダルマ孔８ｂ−１が形成されている。
【００３１】
前記筺状ケース８ａの側部には図１３に示すように配線基板８ｃに受光素子８ｃ−１が実装されている。この受光素子８ｃ−１に対向する筺状ケース８ａの側壁には通孔８ａ−１が形成されており、上面カバー２の両側部に形成した採光部２ｆから周囲環境の外光を導入するようにしている。即ち、上面カバー２の前記通孔８ａ−１に対面する位置は凹陥した状態に形成されており、この採光部２ｆの奥部立壁に通孔２ｆ−１を形成している。そして、この通孔２ｆ−１と前記通孔８ａ−１を共軸として透明素材で形成された採光パッキン１３が嵌装されている。なお、採光部２ｆの側壁２ｆ−２は装置本体の長手方向（道路軸方向）の両側からの光を遮断する遮光部となり、庇壁２ｆ−３は上方からの光を遮断し、受光素子８ｃ−１へ入射するノイズとなる光を制限することができる。
【００３２】
以上のように構成された電源部８の側部の一方に受光素子８ｃ−１を設けるように構成した場合、この受光素子８ｃ−１を上面カバー２の採光部２ｆの任意の一方に対向させて配置することが可能となる。かかる機能は、照明装置１を設置した周囲の住宅や建築物などの照明施設からの照射光がノイズとなり受光素子８ｃ−１で検知され、本来点灯すべき夜間において点灯しないという誤動作を生じる場合に対応することができる。
【００３３】
このような場合、上面カバー２の採光部２ｆの光ノイズの進入側への受光素子８ｃ−１の配置を避け、光ノイズの影響を受けない採光部２ｆを選定して電源部８の配設が可能となるようにしている。即ち、電源部８が図６に示すように同図の上側の採光部２ｆから採光するようにした場合において、光ノイズの影響が確認されたとき、ダルマ孔８ｂ−１の小径部を固定している取付ネジ１４を緩め、スライド板８ｂスライドさせてダルマ孔８ｂ−１の大径部から取付ネジ１４の頭部を外すことにより、電源部８の全体を１８０°回転することができ、図６の下側の採光部２ｆから採光できるように配設方向を変更することができる。
【００３４】
即ち、電源部８を図１４、図１５に示す何れの方向にも任意に配設することが可能となるのである。なお、図１６に示すように、電源部８内の両側部に受光素子８ｃ−１を設けるとともに、スイッチＳＷ１、ＳＷ２を設けて受光素子８ｃ−１の一方または両方の選択が可能となるようにし、周囲環境の光の状態に対応できる融通性を向上することができるとともに、受光素子８ｃ−１の一方が機能しなくなった場合に他方を機能させるなど、応急の対応が可能となる。なお、受光素子８ｃ−１を両側部に設けた場合の機能処理の流れを図１７に示す。このように本発明の電源部８の構成によれば、採光部２ｆを上面カバー２の側部を設けるようにしたので、採光部を背面に設けた従来の照明装置に比較して格段に精度の高い採光が可能となる。
【００３５】
つぎに、光源部５の構成について詳細に説明する。光源部５は図１８に示すように、複数のチップ状の発光素子５ａを絶縁基板５ｂ上に実装し、熱伝導板６上に固定された２枚一組の光源エレメント５ｃと、この光源エレメント５ｃ上でスライドし、各発光素子５ａの発光光の出射方向を制御する２枚一組の光制御エレメント５ｄとの組み合わせを主体に構成される。
【００３６】
前記光制御エレメント５ｄの１枚毎の構成は、図１９にその詳細を示すように、基板５ｄ−１に透過孔５ｄ−２と透過孔５ｄ−３を列設し、透過孔５ｄ−３上に透明素材により成形したレンズ状の光制御部材５ｅが接着などの適宜手段により固定されている。なお、基板５ｄ−１も透明素材として光制御部材５ｅとともに一体成形するようにしてもよい。光制御部材５ｅが介在しない透過孔５ｄ−２の外周部には入射した光のいわゆるケラレを防止するためのテーパー面５ｄ−２ａが形成されている。
【００３７】
また、基板５ｄ−１の裏面には、透過孔５ｄ−２、５ｄ−３の相互間および光源部５の外部に通じる通気溝５ｄ−４が形成されており、発光素子５ａの発熱を外部へ放散できるようにし、光源エレメント５ｃと光制御エレメント５ｄ間の蓄熱を解消し、発光素子５ａを保護するようにしている。なお、光制御部材５ｅの形状、大きさ、および透過孔５ｄ−２、５ｄ−３の形状、大きさは配光設計に基づいて任意に定めることができ、本実施例に限定されるものではない。
【００３８】
前記光制御エレメント５ｄはその係止凹部５ｄ−５が光源エレメント５ｃの係止凸部５ｃ−１と係合し、光制御エレメント５ｄのスライド位置が規制されるようにしている。図２０は光源エレメント５ｃ上で光制御エレメント５ｄがスライドする状態を説明するもので、同図に示すように光制御エレメント５ｄを距離ｄだけ左方へスライドさせた場合は、発光素子５ａの光軸ＳＣ上に光制御エレメント５ｄの光制御部材５ｅが位置し、距離ｄだけ右方へスライドさせた場合は、発光素子５ａの光軸ＳＣ上に光制御エレメント５ｄの透過孔５ｄ−２が位置することになる。
【００３９】
図２１は発光素子５ａの光軸ＳＣ上に光制御部材５ｅが位置した状態の断面図であり、図２２に発光素子５ａの光軸ＳＣ上に透過孔５ｄ−２が位置した状態を示す。図２１に示す発光素子５ａに対する光制御部材５ｅの配置状態とした場合は、発光素子５ａから出射した発光光は光制御部材５ｅのレンズ作用により横方向に拡散する。一方、図２２に示す状態とした場合は、発光素子５ａから出射した発光光は透過孔５ｄ−２を透過して直進する状態となる。
【００４０】
図２１に示す状態では、光制御エレメント５ｄの全体から出射される照射光は図２３に示すような横方向に拡がる紡錘形の配光パターンＬ１となることから、道路面の長手方向の照明に好適で、長円形の配光パターンとなり照明装置間の設置間隔を大きくすることができるとともに、鉛直角８５°以上の領域への照明光の出射（グレア）を抑制することができる。一方、図２２に示す状態では、図２４に示すようなスポット状の略円形または略台形の配光パターンＬ２となることから、交差点あるいは公園などにおける照明に好適となる。光源部５をこのように構成したことから、光制御エレメント５ｄをスライドするのみで配光パターンの異なる照明光が得られることになる。
【００４１】
上述した光源部５は２態様の配光パターンの形成が可能となるようにしたものであるが、３態様の配光パターンの形成も可能となるようすることができ。２態様の配光パターンの形成には光制御エレメント５ｄの水平の一次元方向のスライドで達成できたが、３態様の配光パターンを形成するためには、光制御エレメント５ｄを水平垂直の二次元方向へスライドさせ、定位置に固定できるようにしなければならない。
【００４２】
図２５は３態様の配光パターンを形成するために構成された光制御エレメント５ｄの平面図であり、図２６に示す各発光素子５ａに対応する位置に光制御部材５ｅに加え、この光制御部材５ｅとは焦点距離の異なる光制御部材５ｆを隣接して配置する。さらに光制御部材５ｅに隣接して透過孔５ｄ−２を形成する。このように構成された光制御エレメント５ｄは、そのガイド溝５ｄ−６を光源エレメント５ｃのガイドピン５ｃ−２に係合され、上下および水平方向の移動が案内される。
【００４３】
このように構成された光制御エレメント５ｄは、そのネジ孔５ｄ−７、５ｄ−８を図２６に示す絶縁基板５ｂに形成したネジ孔５ｂ−１、５ｂ−２、５ｂ−３のいずれかを選択してネジ止めする。したがって、ネジ孔５ｄ−７、５ｄ−８をネジ孔５ｂ−１に一致させてネジ止めした場合は、ガイドピン５ｃ−２がガイド溝５ｄ−６の中心にある状態において、光制御エレメント５ｄを距離ｄ１だけ横方向へ移動させたことになり、図２７に示す光制御部材５ｅの中心部直下の透過孔５ｄ−３に発光素子５ａが位置し、光制御部材５ｅからの出射が可能となる。
【００４４】
また、ネジ孔５ｄ−７、５ｄ−８をネジ孔５ｂ−２に一致させてネジ止めした場合は、ガイド溝５ｄ−６の中心から光制御エレメント５ｄを距離ｄ２だけ縦方向へ移動させたことになり、光制御部材５ｆの中心部直下の透過孔５ｄ−９に発光素子５ａが位置し、光制御部材５ｆからの出射が可能となる。さらに、光制御部材５ｆが発光素子５ａ上にある状態から光り制御エレメント５ｄを距離ｄ３だけ移動させ、ネジ孔５ｄ−７、５ｄ−８をネジ孔５ｂ−３に一致させてネジ止めした場合は、基板５ｄ−１の透過孔５ｄ−２の中心部直下に発光素子５ａが位置し、発光光が直接出射されることになる。
【００４５】
なお、以上のように光り制御エレメント５ｄをスライドさせて光源エレメント５ｃに固定した場合の相対位置の関係を図２８および図２９に示す。図２８（Ａ）は発光素子５ａが光制御部材５ｅの中心部直下にある状態を示し、図２８（Ｂ）は発光素子５ａが光制御部材５ｆの中心部直下にある状態を示し、図２８（Ｃ）は発光素子５ａが基板５ｄ−１の透過孔５ｄ−２の中心部直下にある状態を示す。
【００４６】
このように光源部５を構成したことにより、配光パターンＬ１、Ｌ２に加え、光制御部材５ｆによる配光パターンＬ３を形成することができ、様々な照明環境に対応することができる。
【００４７】
以上の説明から明らかなように、上述した本発明特有の構成を実施することにより、機能性および汎用性を向上した照明装置とすることが可能となる。
【符号の説明】
【００４８】
１・・・・・照明装置
２・・・・・上面カバー
２ａ・・・・傾斜状部
２ｆ・・・・採光部
３・・・・・透光カバー
４・・・・・蓋体
４ａ・・・・蝶番
５・・・・・光源部
５ｃ・・・・光源エレメント
５ｄ・・・・光制御エレメント
５ｅ・・・・光制御部材
６・・・・・熱伝導板
７・・・・・ホルダー
８・・・・・電源部
９・・・・・リード線
１０・・・・端子台
１１・・・・封止リング
１２・・・・固定金具
１２ａ・・・第１の支持部材
１２ｂ・・・第２の支持部材
１３・・・・採光パッキン
【図１】
0006548899.tif 000002
【図２】
0006548899.tif 000003
【図３】
0006548899.tif 000004
【図４】
0006548899.tif 000005
【図５】
0006548899.tif 000006
【図６】
0006548899.tif 000007
【図７】
0006548899.tif 000008
【図８】
0006548899.tif 000009
【図９】
0006548899.tif 000010
【図１０】
0006548899.tif 000011
【図１１】
0006548899.tif 000012
【図１２】
0006548899.tif 000013
【図１３】
0006548899.tif 000014
【図１４】
0006548899.tif 000015
【図１５】
0006548899.tif 000016
【図１６】
0006548899.tif 000017
【図１７】
0006548899.tif 000018
【図１８】
0006548899.tif 000019
【図１９】
0006548899.tif 000020
【図２０】
0006548899.tif 000021
【図２１】
0006548899.tif 000022
【図２２】
0006548899.tif 000023
【図２３】
0006548899.tif 000024
【図２４】
0006548899.tif 000025
【図２５】
0006548899.tif 000026
【図２６】
0006548899.tif 000027
【図２７】
0006548899.tif 000028
【図２８】
0006548899.tif 000029
【図２９】
0006548899.tif 000030